(57)【要約】光通信システムは、少なくとも１つの光信号及び少なくとも１つのポンプ信号を受信する伝送光ファイバを有する。光信号は、１又は複数の光信号波長、及び約最小閾電力レベルの電力レベルを有する。ポンプ信号は、伝送光ファイバの少なくとも一部に渡り少なくとも一部の光信号と共に伝搬する。ある特定の実施例では、ポンプ信号及び光信号が伝送光ファイバの一部を伝搬するときに、ポンプ信号は、光信号を約最大閾電力レベルまで増幅する。【特許請求の範囲】
【請求項１】
光通信システムであって：
少なくとも１つの光信号及び少なくとも１つのポンプ信号を受信する伝送光ファイバを有し、前記光信号は、１又は複数の光信号波長及び約最小閾電力レベルの電力レベルを有し、前記ポンプ信号は、前記伝送光ファイバの少なくとも一部に渡り前記光信号の少なくとも一部と共に伝搬し；
前記ポンプ信号及び前記光信号が前記伝送光ファイバの前記一部を伝搬するときに、前記ポンプ信号は前記光信号を約最大閾電力レベルまで増幅する、光通信システム。
【請求項２】
前記伝送光ファイバは、電力を必要とする光学構成要素を実質的に有さない、請求項１記載のシステム。
【請求項３】
前記伝送光ファイバの少なくとも一部は、前記光信号をラマン利得で増幅する分散ラマン増幅器を有する、請求項１記載のシステム。
【請求項４】
前記伝送光ファイバは、前記伝送光ファイバのラマン利得部分に光アイソレータを有する、請求項１記載のシステム。
【請求項５】
前記伝送光ファイバは別のポンプ信号を受信し、前記別のポンプ信号は前記伝送光ファイバ内を前記光信号の少なくとも一部と反対に伝搬し、前記別のポンプ信号が前記伝送光ファイバの少なくとも一部を伝搬するときに、前記別のポンプ信号は前記光信号と相互作用する、請求項１記載のシステム。
【請求項６】
前記伝送光ファイバにより受信された前記光信号は、前記最小閾電力レベルの２０％以内である、請求項１記載のシステム。
【請求項７】
前記伝送光ファイバにより受信された前記光信号は、−２ｄＢｍ以下の電力レベルを有する、請求項１記載のシステム。
【請求項８】
前記伝送光ファイバの第１の端と結合されたブースタを有さない終端端末；及び
前記伝送光ファイバの第２の端と結合された受信端末；を更に有し、
前記ブースタを有さない終端端末は、前記伝送光ファイバにより受信された前記少なくとも１つの光信号を生成し、
前記第２の終端端末は、前記伝送光ファイバを伝達した後に前記少なくとも１つの光信号を受信する、請求項１記載のシステム。
【請求項９】
前記伝送光ファイバの第１の端と結合され、前記伝送光ファイバによる受信のために前記少なくとも１つの前記ポンプ信号を生成する第１のポンプ・ソース；及び
前記伝送光ファイバの第２の端と結合され、前記伝送光ファイバ内を前記光信号の少なくとも一部と反対に伝搬する別のポンプ信号を生成する第２のポンプ・ソース、を更に有する請求項８記載のシステム。
【請求項１０】
前方誤り訂正シーケンスを１又は複数の前記光信号波長に符号化する前方誤り訂正モジュール、を更に有する請求項１記載のシステム。
【請求項１１】
無中継光通信システムであって：
少なくとも１つの光信号を生成し、前記光信号を伝送光ファイバの第１の端へ導入する、ブースタを有さない終端端末；及び
少なくとも１つのポンプ信号を生成し、前記ポンプ信号を前記伝送光ファイバへ導入する、前記伝送光ファイバと結合されたポンプ・ソース；を有し、
前記伝送光ファイバの第１の端へ導入される前記光信号は、約最小閾電力レベルの電力レベルを有し、
前記ポンプ信号が前記伝送光ファイバの一部を伝搬するとき、前記ポンプ信号は、前記光信号を約最大閾電力レベルまで増幅する、無中継光通信システム。
【請求項１２】
前記ポンプ・ソースは、前記伝送光ファイバの第１の端と結合され、前記ポンプ信号は、前記伝送光ファイバの少なくとも一部に渡り前記光信号の少なくとも一部と共に伝搬する、請求項１１記載のシステム。
【請求項１３】
前記伝送光ファイバにより受信された前記少なくとも１つの光信号は、前記最小閾電力レベルの２０％以内である、請求項１１記載のシステム。
【請求項１４】
前記伝送光ファイバにより受信された前記光信号は、−２ｄＢｍ以下の電力レベルを有する、請求項１１記載のシステム。
【請求項１５】
前記ブースタを有さない終端端末は、前記光信号を前記通信システムの約最大閾電力レベルまで、前記光信号を前記伝送光ファイバへ導入する前に増幅する増幅器を実質的に有さない、請求項１１記載のシステム。
【請求項１６】
前記伝送光ファイバの第２の端と結合された受信端末；
前記伝送光ファイバを伝搬した後に、前記少なくとも１つの光信号を受信する第２の終端端末；及び
前記伝送光ファイバの第２の端と結合され、前記伝送光ファイバ内を前記光信号の少なくとも一部と反対に伝搬する別のポンプ信号を生成する別のポンプ・ソース、を更に有する請求項１１記載のシステム。
【請求項１７】
前記伝送光ファイバのラマン利得部分に１又は複数の光アイソレータを更に有する請求項１１記載のシステム。
【請求項１８】
無中継光通信システムで光信号を通信する方法であって：
少なくとも１つの光信号を伝送光ファイバの第１の端で受信する段階を有し、前記光信号は、１又は複数の光信号波長及び約最小閾電力レベルの電力レベルを有し；
前記方法は、
１又は複数のポンプ波長を有する少なくとも１つのポンプ信号を生成する段階；及び
前記少なくとも１つのポンプ信号を前記伝送光ファイバへ導入する段階、を更に有し、
前記ポンプ信号は、前記伝送光ファイバの少なくとも一部に渡り前記光信号の少なくとも一部と共に伝搬し、前記ポンプ信号及び前記光信号が前記伝送光ファイバの前記一部を伝搬するときに、前記ポンプ信号は、前記光信号を約最大閾電力レベルまで増幅する、方法。
【請求項１９】
前記伝送光ファイバにより受信された前記光信号は、前記最小閾電力レベルの２０％以内である、請求項１８記載の方法。
【請求項２０】
前記伝送光ファイバにより受信された前記光信号は、−２ｄＢｍ以下の電力レベルを有する、請求項１８記載の方法。
【請求項２１】
前記少なくとも１つの光信号を前記伝送光ファイバの第２の端で受信する段階；及び
前記伝送光ファイバ内を前記少なくとも１つの光信号と反対に伝搬する別のポンプ信号を前記伝送光ファイバへ導入する段階、を更に有する請求項１８記載の方法。
【発明の詳細な説明】
【技術分野】
【０００１】
本発明は、全体的に通信システムに関し、より詳細にはブースタを有さない光通信システムを実施するシステム及び方法に関する。
【背景技術】
【０００２】
従来の光通信システムは、標準的に１又は複数のブースタ増幅器を実装し、光通信信号をほぼ最大閾値電力レベルまで、当該光信号が通信範囲又は伝送光ファイバへ送信される前に増幅する。これらのシステムは伝送光ファイバを介した伝送に備えて光通信信号の電力レベルを最大化し、当該伝送光ファイバと関連付けられた損失を事前に補償しようとする。
【発明の開示】
【発明が解決しようとする課題】
【０００３】
本発明は、ブースタを有さない光通信システムを実施するシステム及び方法を提供する。
【課題を解決するための手段】
【０００４】
ある実施例によると、光通信システムは、少なくとも１つの光信号及び少なくとも１つのポンプ信号を受信する伝送光ファイバを有する。光信号は、１又は複数の光信号波長、及び約最小閾電力レベルの電力レベルを有する。ポンプ信号は、伝送光ファイバの少なくとも一部に渡り光信号の少なくとも一部と共に伝搬する。ある特定の実施例では、ポンプ信号及び光信号が伝送光ファイバの一部を伝搬するときに、ポンプ信号は、光信号を約最大閾電力レベルまで増幅する。
【０００５】
別の実施例によると、無中継光通信システムは、少なくとも１つの光信号を生成し前記光信号を伝送光ファイバの第１の端へ導入する、ブースタを有さない終端端末を有する。伝送光ファイバの第１の端へ導入された光信号は、約最小閾電力レベルの電力レベルを有する。前記システムは、前記伝送光ファイバと結合されたポンプ・ソースを更に有する。ポンプ・ソースは、少なくとも１つのポンプ信号を生成し、前記ポンプ信号を伝送光ファイバへ導入する。ある特定の実施例では、ポンプ信号が伝送光ファイバの一部を伝搬するときに、ポンプ信号は、光信号を約最大閾電力レベルまで増幅する。
【０００６】
実装される特定の特徴に依存して、本発明の特定の実施例は、以下の技術的利点のいくつか若しくは全てを示すか、又は１つも示さなくて良い。種々の実施例は、光システムの合計到達距離を増大しうる。他の実施例は、通信範囲又は光ファイバ内で、信号が最大電力レベルに達する点を延ばす及び／又は遅らせうる。他の技術的利点は、本願明細書に含まれる図、説明、及び請求項から当業者に直ちに明らかであろう。更に、特定の利点が列挙されたが、種々の実施例は列挙された利点の全て、一部を含んでもよく、又は何れも含まなくてもよい。
【０００７】
本発明及びその特徴及び利点は、図と共に以下の説明を参照することにより、より完全に理解されるだろう。図中の類似の参照符号は、類似の機能を示す。
【発明を実施するための最良の形態】
【０００８】
本願明細書を通じて特定された特定の例及び寸法は、単に説明のためであり、本開示の範囲を制限するものではない。特に、本開示は無中継光通信システムに限定されない。本開示の教示は、光装置間の到達距離を拡張することが望まれる如何なる光通信システムにも用いられてよい。更に、図１乃至４の説明は実際の縮尺ではない。
【０００９】
図１は、１又は複数の波長の信号１６の通信を実現する無中継光通信システム１０の少なくとも一部を示すブロック図である。「無中継光通信システム」は、端末間に受動光学構成要素のみを有する光通信範囲を有する光通信システムを表す。つまり、無中継システムの通信範囲は、実質的に電力を必要とする構成要素を有さない。
【００１０】
この例では、システム１０は、それぞれ光の中心波長を有する複数の光信号（又はチャンネル）１５ａ−１５ｎを生成する複数の送信機１２ａ−１２ｎを有する。幾つかの実施例では、各光信号１５ａ−１５ｎは、実質的に他の信号１５の中心波長と異なる中心波長を有する。本願明細書を通じて用いられるように、用語「中心波長」は光信号のスペクトル分布の時間平均を表す。中心波長の近傍のスペクトルは中心波長に対し対称である必要はない。更に、中心波長が搬送波波長を表す必要もない。送信機１２は、１又は複数の光信号を生成可能な如何なる装置を有してもよい。送信機１２は、外部で変調された光源を有してよく、又は直接変調された光源を有してもよい。
【００１１】
ある実施例では、送信機１２は、それぞれ関連付けられた変調器を有する複数の独立光源を有する。各光源は１又は複数の光信号１５を生成する。或いは、送信機１２は、複数の変調器により共有される１又は複数の光源を有してもよい。例えば、送信機１２は、一連の光パルスを生成するモード固定光源を有する連続スペクトル光源の送信機、及びモード固定光源からパルス列を受信し且つ当該パルスをスペクトル的に広げてほぼスペクトルの連続する光信号を形成する連続スペクトル生成器を有してよい。この実施例では、信号スプリッターは、連続スペクトルを受信し、当該連続スペクトルをそれぞれ中心波長を有する個々の信号に分離する。幾つかの実施例では、送信機１２は、時分割多重化装置のような、モード固定光源又は変調器から受信したパルスを多重化しシステムのビット・レートを増大させるパルス・レート多重化装置を有してよい。
【００１２】
送信機１２は、ある場合には、光再生器の一部を有してもよい。つまり、送信機１２は、電気又は他の光通信接続から受信した光信号の電気的表現に基づいて光信号１５を生成してよい。他の場合には、送信機１２は、送信機１２にローカルに存在する光源から受信した情報に基づき光信号１５を生成してよい。送信機１２は、複数の送信機及び複数の受信機を有するトランスポンダ装置（明示的に示されない）の一部を有してよい。
【００１３】
種々の実施例では、送信機１２は、信号１５のＱ因子及びシステム１０のビット誤り率を向上する前方誤り訂正（ＦＥＣ）モジュールを有してよい。例えば、ＦＥＣモジュールは、リード・ソロモン符号、ターボ・プロダクト・コード符号、連結リード・ソロモン符号、又は信号１５のＱ因子及びシステム１０のビット誤り率を向上する他のアルゴリズムのようなＦＥＣシーケンスを符号化してよい。本願明細書を通じて用いられるように、用語「Ｑ因子」は送信機から伝達される信号の品質を定めるメトリックを表す。５個の送信機１２から伝達される光信号１５と関連付けられた「Ｑ因子」は、複数の高位値の標準偏差（ΔＨ）と複数の低位値の標準偏差（ΔＬ）の和に渡る光信号と関連付けられた高位信号値の平均値（ＭＨ）と低位信号値の平均値（ＭＬ）との差分を表す。Ｑ因子の値は、ｄＢ２０で表される。式では、以下の関係が表される。
Q=[MH-ML]÷[ΔH+ΔL]
図示された実施例では、システム１０は、光信号１５ａ−１５ｎを受信し且つ当該信号を複数波長信号１６に結合する結合器１４を有する。ある特定の例では、結合器１４は波長分割多重装置（ＷＤＭ）を有してよい。本願明細書で用いられる用語「波長分割多重装置」及び「波長分割逆多重化装置」は、波長分割多重された信号を処理する機器及び／又は高密度波長分割多重された信号を処理する機器を有してよい。
【００１４】
システム１０は、光通信範囲２０に渡り複数波長信号１６を伝達する。この例は１つの光通信範囲２０を有するが、如何なる数の追加の範囲が本発明の範囲から逸脱することなく用いられてもよい。
【００１５】
通信範囲２０は、例えば標準の単一モード光ファイバ（ＳＭＦ）、分散シフト光ファイバ（ＤＳＦ）、非ゼロ分散シフト光ファイバ（ＮＺＤＳＦ）、分散補償光ファイバ（ＤＣＦ）、純石英コア光ファイバ（ＰＳＣＦ）、又は他の種類の光ファイバ又はその組み合わせを有してよい。種々の実施例では、範囲２０は、例えば８０ｋｍ以上、１５０ｋｍ以上、２００ｋｍ以上、又は如何なる他の適切な距離の範囲を有してもよい。この特定の実施例では、システム１０の範囲２０は、少なくとも４００ｋｍの範囲の長さを有する。
【００１６】
通信範囲２０は、例えば単一方向の範囲又は双方向の範囲を有してよい。範囲２０は、ポイント・ツー・ポイント接続を有してよく、又はリング型ネットワーク、スター型ネットワークのような更に大規模な通信ネットワークの一部、又は如何なる他のネットワーク構成を有してもよい。例えば、通信範囲２０は、複数の接続システムの１つの範囲又は接続を有してよく、各接続は他の接続と例えば光再生器を通じて接続される。
【００１７】
この実施例では、分離器２６は、範囲２０の端で受信された複数波長信号１６から個々の光信号１５ａ−１５ｎを分離する。分離器２６は例えば波長分割逆多重装置（ＷＤＭ）を有してよい。分離器２６は、個々の信号波長又は波長の範囲を、受信機２８のバンク及び／又は他の光通信経路へ伝達する。１又は複数の受信機２８は、受信及び光と電気の間の形式を変換する光通信器の一部であってよい。
【００１８】
システム１０は、通信範囲２０と結合された１又は複数の増幅器を更に有してよい。この例では、システム１０は、信号１６を分離器２６へ伝達する前に、光ファイバ範囲２０から受信した信号１６を増幅する前置増幅器２４を有する。システム１０は前置増幅器２４を含むが、システム１０は如何なる他の増幅器を有してよく、及び／又は前置増幅器２４は本願明細書の範囲から逸脱することなく除去されてもよい。
【００１９】
増幅器２４は、例えば、１又は複数のラマン増幅器、エルビウム若しくはツリウムをドープされた段のような希土類ドープ増幅段、半導体増幅段、又はこれらの組み合わせ、又は他の種類の増幅段を有してよい。幾つかの実施例では、増幅器２４は双方向ラマン増幅器を有してよい。本願明細書を通じ、用語「増幅器」は、システム１０の全体又は一部を伝達する間に信号に生じる損失の少なくとも一部の損失を少なくとも部分的に補償する装置若しくは装置の組み合わせを表す。同様に、用語「増幅する」及び「増幅」は、増幅されなければ生じていた損失の少なくとも一部を除去することを示す。
【００２０】
増幅器は、増幅される信号に純利得を与えてもよいし与えなくてもよい。更に、本願明細書を通じて用いられる用語「利得」及び「増幅」は、（特に明示されない限り）純利得である必要はない。換言すると、増幅段で「利得」又は「増幅」を与えられた信号は、必ずしも増幅段又は増幅段に接続された光ファイバにおける全損失を克服するのに十分な利得を与えられる必要はない。特定の例では、分散ラマン増幅段は、標準的に、利得媒体として機能する伝送光ファイバにおける全損失を除去するために十分な利得を与えられない。しかしながら、これらの装置は伝送光ファイバで被る損失の少なくとも一部を除去するので、「増幅器」と考えられる。
【００２１】
選択された増幅器の種類に依存して、増幅器２４は受信した全ての光信号１５ａ−１５ｎを増幅する広帯域増幅器を有してよい。或いは、増幅器２４は、狭帯域増幅器装置の並列の組を有してよい。並列の組の中の各増幅器は複数波長信号１６の一部の波長を増幅する。この場合、システム１０は、増幅器装置の並列の組の周囲に信号分離器及び／又は信号結合器を内蔵し、システム１０を通じて通信する波長を分離及び／又は結合若しくは再結合するために、複数の波長グループの増幅を実現してよい。
【００２２】
図示された実施例では、送信機１２、結合器１４、及びポンプ・ソース３０ａは、第１の端末１１内に存在する。一方。受信機２８、分離器２６、前置増幅器２４、及びポンプ・ソース３０ｂは第２の端末１３内に存在する。個の例では端末１１は送信機１２、結合器１４、及びポンプ・ソース３０ａを有し、端末１３は受信機２８、分離器２６、増幅器２４、及びポンプ・ソース３０ｂを有するが、端末１１及び１３はそれぞれ、本願明細書の範囲から逸脱することなく送信機、受信機、結合器、分離器、ポンプ・ソース、及び／又は増幅器の如何なる組み合わせを有してもよい。更に、端末１１及び１３は如何なる他の光学構成要素を有してもよい。幾つかの場合には、端末１１及び１３は終端端末として参照されてよい。用語「終端端末」は、光−電気及び／又は電気−光信号変換及び／又は生成を実行する装置を示す。
【００２３】
種々の実施例では、終端端末１１及び１３は、色度分散を少なくとも部分的に補償する１又は複数の分散補償要素を有してよい。幾つかの実施例では、分散補償要素は、システム１０の範囲２０を伝達する間に光信号１６により蓄積された分散をほぼ補償する分散長の積を有してよい。他の実施例では、増幅器２４の利得媒体の少なくとも一部は、信号１６と関連付けられた色度分散を少なくとも部分的に補償する分散補償光ファイバを有してよい。これらの実施例では、分散補償光ファイバは、複数波長信号１６と関連付けられた色度分散の勾配と等しく反対の分散勾配を有してよい。
【００２４】
この特定の実施例では、システム１０は、範囲２０に導入される第１のポンプ信号３２ａを生成する第１のポンプ・ソース３０ａ、及び範囲２０に導入される第２のポンプ信号３２ｂを生成する第２のポンプ・ソース３０ｂを有する。この例は、２つのポンプ・ソース３０及び２つのポンプ信号３２を有するが、他の如何なる数のポンプ・ソース及び／又はポンプ信号が用いられてもよい。或いは、１又は複数のポンプ・ソース３０及び／又はポンプ信号３２は本願明細書の範囲から逸脱することなく除去されてもよい。ポンプ信号３２ａ及び３２ｂはそれぞれ１又は複数のポンプ波長を有し、１又は複数のポンプ波長のそれぞれは光の中心波長を有する。幾つかの実施例では、特定のポンプ信号３２の１又は複数のポンプ波長のそれぞれは、特定のポンプ信号３２の他のポンプ波長の中心波長と実質的に異なる中心波長を有してよい。ポンプ・ソース３０は、所望の電力レベル及び波長で１又は複数のポンプ信号波長を生成する装置又は装置の組み合わせを有してよい。例えば、ポンプ・ソース３０は、Ｎｄ：ＹＡＧ又はＮｄ：ＹＬＦのような固体レーザー、Ｙｂドープ光ファイバ・レーザーのような半導体レーザー、レーザー・ダイオード、クラッド・ポンプ光ファイバ・レーザー、又はこれら若しくは他の光源の如何なる組み合わせを有してもよい。
【００２５】
この例では、ポンプ信号３２ａは範囲２０に渡り信号１６と共に伝搬する。一方で、ポンプ信号３２ｂは、範囲２０に渡り光信号１６と反対に伝搬する。本願明細書を通じて用いられるように、用語「共に伝搬」は、少なくともある時間の間、少なくとも一部のポンプ信号が利得媒体又は光ファイバを通じて、増幅されている光信号の少なくとも１つの波長と同一方向に伝搬する状態を示す。更に、用語「反対に伝搬」は、少なくとも一部のポンプ信号が利得媒体又は光ファイバを通じて、増幅されている光信号と反対方向に伝搬する状態を示す。この例では、システム１０はポンプ信号３２ａ及びポンプ信号３２ｂを範囲２０に導入するが、１又は複数のポンプ信号３２ａ及び３２ｂは他の実施例では省略されてよい。
【００２６】
従来の光通信システムは、標準的に１又は複数のブースタ増幅器を実装し、複数波長光信号をほぼ最大閾電力レベルまで、当該光信号が通信範囲又は伝送光ファイバへ送信される前に、増幅する。例えば、従来の光通信システムは標準的に、複数波長光信号の波長を受信し増幅する１又は複数のブースタ増幅器を有し、これらの信号を伝送光ファイバ又は通信範囲を介して伝送するために準備する。殆どの場合、１又は複数のブースタ増幅器は、複数波長光信号を、システムの最大閾電力レベルの少なくとも８０％まで増幅する。「最大閾電力レベル」は、それ以上光信号電力レベルを増大することによりもはや通信範囲の受信端で測定されるシステム性能が向上しない光信号電力レベルである。
【００２７】
システムの最大閾電力レベルは、システムの構成及び伝送媒体又は通信範囲に実装された光ファイバの種類に少なくとも部分的に基づく。殆どの場合、通信範囲内の１又は複数の非線形相互作用は、標準的にシステムの最大閾電力レベルを制限及び／又は決定する。換言すると、最大閾電力レベルは、システムの伝送媒体を通じて伝達される光信号波長と関連付けられた最大電力レベルを制限する。これらの非線形効果は、例えば４つの波長の混合、相互位相変調、自己位相変調、誘導ブリユアン散乱、又はこれらの組み合わせ又は他の非線形効果を有してよい。
【００２８】
殆どの場合、非線形相互作用は、複数波長光信号の最大電力を制限し、複数波長信号と関連する波長内の干渉を生じる。複数波長光信号の最大電力を制限することにより、非線形相互作用も、特定のシステムの通信範囲の長さ又は伝送距離を制限しうる。つまり、非線形相互作用は、光信号の無中継伝送距離を制限しうる。上述のように、従来の光通信システムは標準的に、光信号の送出電力を、当該信号を通信範囲又は伝送媒体に導入する前に最大化しようとする。
【００２９】
殆どの場合、これら従来のシステムは、標準的に１又は複数のブースタ増幅器を実装し、光信号をシステムの約最大閾電力レベルまで、当該光信号が通信範囲又は伝送光ファイバへ送信される前に、増幅する。当該光信号を通信範囲へ約最大閾電力レベルで導入することにより、ＳＢＳのような非線形相互作用は、従来のシステムにおけるこれら光信号の最大無中継伝送距離を制限しうる。結果として、従来のシステムの光信号は標準的に、通信範囲の始めに又は始め近くで最大閾電力レベルに達する。
【００３０】
従来のシステムと異なり、システム１０は、複数波長信号１６を通信範囲２０へ、最小閾電力レベルで又はその近くで導入し、範囲２０を通じて信号１６を通信する間、信号１６を最大閾電力レベルまで増幅する。システムの最小閾電力レベルは、システム１０の構成及び通信範囲２０に実装された光ファイバの種類に少なくとも部分的に基づく。殆どの場合、複数経路干渉（ＭＰＩ）は、標準的にシステムの最小閾電力レベルを制限及び／又は決定する。換言すると、最小閾電力レベルは、システムの伝送媒体を通じて伝達される光信号波長に導入される最大利得を制限する。本願明細書を通じて用いられるように、用語「最小閾電力レベル」は、信号の電力レベルを最大閾電力レベルまで引き上げるために最大利得が導入される光信号の電力レベルを示す。「最大利得」は、信号の相当量の利得の増大が、主にＭＰＩにより、利得の増大から得られる利益より性能上の不利点の方が大きくなる利得量である。
【００３１】
この特定の実施例では、端末１１は、ブースタを有さない終端端末を有する。当該終端端末は、範囲２０の光ファイバの少なくとも一部を、信号１６が範囲２０を伝搬する間に信号１６を最小閾電力レベルから最大閾電力レベルまで増幅する分散ラマン増幅器として用いる。用語「ブースタを有さない終端端末」は、１又は複数の光信号波長を、約最小閾電力レベルで伝送光ファイバへ導入する終端端末を示す。更に、ブースタを有さない終端端末は、複数波長光信号を通信システムの約最大閾電力レベルまで、当該光信号が通信範囲又は伝送光ファイバへ送信される前に増幅する増幅器を実質的に有さない端末である。
【００３２】
この例では、ブースタを有さない終端端末１１は、複数波長光信号１６を範囲２０へ、約最小閾電力レベルで導入する。信号１６の最小閾電力レベルは、例えば、約−１２ｄＢｍ以上、−１０ｄＢｍ以上、−６ｄＢｍ以上、又は他の如何なる適切な値を有してよい。殆どの場合、信号１６の最小閾電力レベルは、例えば、約０ｄＢｍ以下、−２ｄＢｍ以下、−４ｄＢｍ以下、又は他の如何なる適切な値を有してよい。ブースタを有さない終端端末１１は、ポンプ信号３２ａを範囲２０へ導入し、信号１６をシステム１０の最大閾電力レベルまで増幅する。この特定の例では、ポンプ信号３２ａは、範囲２０を通じて信号１６と共に伝搬する。殆どの場合、ポンプ信号３２ａは、例えば２分の１ワット以上、１ワット以上、２ワット以上、２と２分の１ワット以上、を有してよい。
【００３３】
本願明細書のある態様では、範囲２０の長さ（例えば、終端端末１１と１３との間の距離）は、信号１６を範囲２０に約最小閾電力レベルで導入し、信号１６が範囲２０を通じて伝達する間に信号１６を最大閾電力レベルまで増幅することにより増大されうる。つまり、システム１０の到達距離及び／又は複数波長信号１６が範囲２０を通じて伝達できる距離は、信号１６を範囲２０に約最小閾電力レベルで導入し、ポンプ信号３２ａを用いて信号１６を範囲２０内の最大閾電力レベルまで増幅することにより増大されうる。従来の設計手法では、この技術は有利であるとは考えられていなかった。何故なら、広範囲の間、ポンプ信号を複数波長光信号と共に伝搬することは、光信号を減衰させうるからである。しかしながら、信号１６を範囲２０に約最小閾電力レベルで導入し、信号１６をポンプ信号３２ａを用いて範囲２０内の最大閾電力レベルまで増幅することは、有利なことに、信号１６が範囲２０内の最大閾電力レベルに達する点を延ばす又は遅らせることにより、システム１０の到達距離を増大しうる。
【００３４】
この例では、信号１６を範囲２０に約最小閾電力レベルで導入することは、ポンプ信号３２ａが通信範囲２０内で信号１６と効果的に相互作用する（例えば、エネルギーを転送する又は増幅する）距離を増大させる。ポンプ信号３２ａが通信範囲２０内で信号１６と効果的に相互作用する距離を増大させることは、有利なことに、信号１６が範囲２０内の最大閾電力レベルに達する点を延ばす又は遅らせることにより、システム１０の到達距離を増大させうる。例えば、信号１６が最大閾電力レベルに達する点は、端末１１から約３０ｋｍ以上、端末１１から４０ｋｍ以上、又は端末１１から５０ｋｍ以上であってよい。幾つかの場合には、これは、例えば約３０ｋｍ以上、４０ｋｍ以上、又は５０ｋｍ以上、システム１０の到達距離を延長しうる。
【００３５】
殆どの場合、範囲２０内の約最小閾電力レベルから約最大閾電力レベルまで信号１６を増幅することは、信号１６及びポンプ信号３２ａが範囲内で相互作用する時間長を増大する傾向がある。２０.つまり、ポンプ信号の１又は複数のポンプ波長は、増大された範囲２０の長さに渡り、信号１６の光信号波長に利得を導入する。増大された範囲２０の長さに渡り、信号１６の光信号波長に利得を導入することは、有利なことに、信号１６の光信号波長を、通信範囲に導入する前に約最大閾電力レベルまで信号を増幅する光信号より高い電力レベルに維持しうる。
【００３６】
信号１６を範囲２０に約最小閾電力レベルで導入することは、信号１６の光信号波長１５の電力レベルを、通信範囲に導入される前に約最大閾電力レベルまで増幅される光信号と比べて高い電力レベルに維持しうる。殆どの場合、ポンプ信号３２ａが信号１６と効果的に相互作用する範囲２０の長さを増大することは、ポンプ信号３２ａの電力レベルを比較的高いレベルに維持する。ポンプ信号３２ａの電力レベルを比較的高い電力レベルに維持することは、信号１６の光信号波長５の電力レベルを、通信範囲２０の少なくとも一部に渡り比較的高い電力レベルに維持しうる。
【００３７】
本願明細書の別の態様では、システムの価格は、ブースタを有さない端末を実施することにより低減されうる。また、システム性能は、信号１６が通信範囲２０を伝搬するときに複数波長光信号１６を最大閾電力レベルまで増幅する１又は複数のポンプ信号３２を実施することにより維持されるか又は更に向上する。
【００３８】
種々の実施例では、ポンプ信号３２ａは、１又は複数の分数次ラマン・ポンプ波長及び１又は複数の整数次ラマン・ポンプ波長を有してよい。「分数次ラマン・ポンプ波長」は、システムを通じて伝達されている如何なる光信号波長からも１ストロークの整数倍（例えば約１３．２ＴＨｚ）ずれていないラマン利得ピークを有するポンプ波長である。換言すると、分数次ラマン・ポンプ波長は、全ての光信号１５ａ−１５ｎから１ストロークの整数倍ずれているラマン利得ピークを有する如何なるポンプ波長を有してもよい。
【００３９】
これらの実施例では、ポンプ信号３２ａは、少なくとも１次ラマン・ポンプ波長を増幅するために用いられる、複数の１次ラマン・ポンプ波長及び複数の分数次ラマン・ポンプ波長を有してよい。ポンプ信号３２ａは複数の１次及び分数次ラマン・ポンプ波長を有してよいが、整数次及び／又は分数次ラマン・ポンプ波長の如何なる他の組み合わせが、本願明細書の範囲から逸脱することなく用いられてもよい。他の実施例では、ポンプ信号３２ｂは、１又は複数の整数次ラマン・ポンプ波長及び１又は複数の分数次ラマン・ポンプ波長を有してよい。他の実施例では、両方のポンプ信号３２ａ及び３２ｂは、１又は複数の整数次ラマン・ポンプ波長及び１又は複数の分数次ラマン・ポンプ波長を有してよい。
【００４０】
本願明細書のある態様では、範囲２０の長さ（例えば、終端端末１１と１３との間の距離）は、ポンプ信号３２ａ及び／又はポンプ信号３２ｂ内で１又は複数の分数次ラマン・ポンプ波長を実装することにより増大されてよい。つまり、システム１０の到達距離及び／又は複数波長信号１６が範囲２０に渡り伝達されうる距離は、ポンプ信号３２ａ及び／又は３２ｂ内で１又は複数の分数次ラマン・ポンプ波長を用いることにより増大されうる。従来の設計手法は、この技術を有利であるとは考えていない。何故なら、分数次ラマン・ポンプ波長を導入し整数次ラマン・ポンプ波長を増幅することは、ポンプ波長間のエネルギー転送の効率を低下させる傾向があるからである。しかしながら、増大された範囲２０の長さに渡り、比較的低い利得を整数次ラマン・ポンプ波長に導入することは、有利なことに、システム１０が範囲２０内で最大利得を経験する点を延ばす又は遅らせることにより、システム１０の到達距離を増大しうる。
【００４１】
殆どの場合、ポンプ信号３２ａ及び／又はポンプ信号３２ｂ内で１又は複数の分数次ラマン・ポンプ波長を実施することは、１次ラマン・ポンプ波長が分数次ラマン・ポンプ波長と関連付けられた光パワーを減衰させる比率を低減する傾向がある。つまり、１又は複数の分数次ラマン・ポンプ波長を実施することは、分数次ラマン・ポンプ波長から１次ラマン・ポンプ波長へのエネルギー転送効率を低下する。効率が低下するため、分数次ラマン・ポンプ波長は、増大された範囲２０の長さに渡り、１次ラマン・ポンプ波長に比較的低い利得を導入する。増大された範囲２０の長さに渡り、１次ラマン・ポンプ波長に比較的低い利得を導入することは、有利なことに、１次ラマン・ポンプ波長を、範囲２０の少なくとも一部に渡り整数次ラマン・ポンプ波長だけを実施するポンプ信号より高い電力レベルに維持しうる。
【００４２】
この実施例では、システム１０は無中継システムを有する。別の実施例では、システム１０は複数の通信範囲２０を有する中継システムを有してよい。通信システム１０が複数の通信範囲２０を有する場合、システム１０も１又は複数のインライン増幅器を有してよい。インライン増幅器は、１又は複数の通信範囲２０と結合され、信号１６がシステム１０を伝搬するときに信号１６を増幅する。この実施例では、２以上の範囲が集合的に第１の光接続を形成してよい。更に、このような中継システムは、第１の接続と結合された如何なる数の追加接続を有してもよい。例えば、第１の接続は、複数接続システムの１つの光接続を有してよく、各接続は他の接続と例えば光再生器を通じて接続される。
【００４３】
最後に、システム１０が中継システムを有する場合、このようなシステムは１又は複数のアクセス要素を更に有してよい。例えば、アクセス要素は、アッド／ドロップ多重化装置、クロスコネクト、又は終端、クロスコネクト、交換、転送、処理、及び／又はシステム１０、及び別のシステム若しくは通信装置から／へのアクセスを提供する別の装置を有してよい。システム１０は、１又は複数の損失を伴う要素（明示的に示されない）及び／又は範囲２０と範囲２０との間に結合された当該損失を伴う要素を少なくとも部分的に補償する利得要素を有してよい。例えば、損失を伴う要素は、信号分離器、信号結合器、アイソレータ、分散補償要素、サーキュレーター、又は利得等化器を有してよい。
【００４４】
図２は、システム２００のブースタ増幅器を有する一方の端末から伝達された第１の光信号２０２と、ブースタ増幅器を有さない他方の端末から伝達された第２の光信号を比較するグラフである。種々の実施例では、システム２００は図１の無中継システム１００と構造及び機能が実質的に同様であってよい。図２に示された特定のパラメーター、構成要素、及びシステム２００の電力レベル、及び光信号２０２及び２０４の電力レベルは、単に説明を目的とするものであり、本願明細書の範囲を制限するものではない。本発明の範囲から逸脱することなく、他のパラメーター、構成要素、及び電力レベルの組み合わせが用いられてよいことが理解されるだろう。図示された実施例では、システム２００は、約＋１３ｄＢｍの最大閾電力レベル、及び約−７ｄＢｍの最小閾電力レベルを有する。
【００４５】
この例では最大及び最小閾電力レベルはそれぞれ＋１３及び−７ｄＢｍであるが、本願明細書の範囲から逸脱することなく他の如何なる適切な最大及び最小閾電力レベルが用いられてもよい。
【００４６】
この例では、システム２００は、システム２００を通じて１又は複数の光信号の伝達を実現する標準単一モード光ファイバを有する通信範囲を有する。第１の実施例では、システム２００の通信範囲は、ブースタ増幅器を有する終端端末から、システム２００の約最大閾電力レベルで第１の光信号２０２を受信する。この実施例では、ブースタ増幅器は、第１の光信号２０２がシステム２００の通信範囲に導入される前に、第１の光信号２０２をシステム２００の約最大閾電力レベル（例えば、＋１３ｄＢｍ）まで増幅する。
【００４７】
第２の実施例では、システム２００の通信範囲は、ブースタを有さない終端端末から、システム２００の約最小閾電力レベル（例えば、−７ｄＢｍ）で第２の光信号２０４を受信する。この実施例では、ブースタを有さない終端端末は、第２の光信号２０４をシステム２００の約最大閾電力レベルまで、第２の光信号２０４が通信範囲へ導入される前に増幅する増幅器を実質的に有さない。
【００４８】
第２の実施例では、システム２００は、システム２００の通信範囲へ導入するために１又は複数のポンプ信号を生成するポンプ・ソースも有する。幾つかの場合には、ポンプ・ソース及びポンプ信号の構造及び機能は、それぞれ図１のポンプ・ソース３０及びポンプ信号３２ａと実質的に同様である。この実施例では、ポンプ・ソースは、光信号２０４がシステム２００の通信範囲の一部を伝搬するときに、光信号２０４と共に伝搬するポンプ信号を導入する。この例では、ポンプ信号は光信号２０４と共に伝搬するが、ポンプ信号の少なくとも一部は、本願明細書の範囲から逸脱することなく光信号２０４と反対に伝搬してよい。この特定の実施例では、ポンプ信号は、光信号２０４が通信範囲を伝搬するときに、第２の光信号２０２をシステム２００の最大閾電力レベルまで増幅する。種々の実施例では、ポンプ・ソースは、例えば０．５ワット、１ワット、２．５ワット、又は他の如何なる適切な電力レベルの総パワーを有するポンプ信号を生成してよい。
【００４９】
この例では、線２０２は、第１の光信号がシステム２００の通信範囲を通じて伝達するときの第１の光信号の電力レベルを表す。また、線２０４は、第２の光信号がシステム２００の通信範囲を通じて伝達するときの第２の光信号の電力レベルを表す。この例では、横軸は、光信号２０２及び２０４がシステム２００の通信範囲を通じて伝搬する距離を表す。また、縦軸は光信号の電力レベルを表す。
【００５０】
このグラフは、光信号２０４が通信範囲を伝搬するときに、第２の光信号２０２を最小閾電力レベルから最大閾電力レベルまで増幅することが、有利なことに、第２の光信号２０４を、通信範囲の少なくとも一部に渡り第１の光信号２０２と関連付けられた電力レベルより高い電力レベルに維持しうることを示す。特に、光信号２０２及び２０４のそれぞれが約３０ｋｍの通信範囲を伝搬した後に、第２の光信号２０４の電力レベルは第１の光信号２０２の電力レベルより高くなる。更に、光信号２０２及び２０４のそれぞれが約３０ｋｍの通信範囲を伝搬した後に、第２の光信号２０４の電力レベルは第１の光信号２０２の電力レベルより高く維持される。第２の光信号２０４は第１の光信号２０２より高い電力レベルに維持されるので、システム２００の到達距離及び／又は第２の光信号２０４が通信範囲を通じて伝達しうる距離は、有利なことに増大されうる。
【００５１】
このグラフは、光信号２０４が通信範囲を伝搬するときに、第２の光信号２０４を最小閾電力レベルから最大閾電力レベルまで増幅することが、有利なことに、第２の光信号２０４が通信範囲内の最大閾電力レベルに達する点を、第１の光信号２０２と比べて延ばすか又は遅らせることを更に示す。特に、第１の光信号２０２の最大閾電力レベルは、光信号２０２が通信範囲に導入されるときに生じる。一方で、第２の光信号２０４の最大閾電力レベルは、第２の光信号２０４が約４５ｋｍの通信範囲を伝搬した後に生じる。
【００５２】
図３は、光信号３０２の送信電力が変化する場合に、光通信システム３００の通信範囲を伝達した後の光信号３０２の光学性能を説明するグラフである。種々の実施例では、システム３００は図１の無中継システム１０と構造及び機能が実質的に同様であってよい。図３に示された特定のパラメーター、構成要素、及びシステム３００の電力レベル、及び光信号３０２の送信電力レベルは、単に説明を目的とするものであり、本願明細書の範囲を制限するものではない。本発明の範囲から逸脱することなく、他のパラメーター、構成要素、及び電力レベルの組み合わせが用いられてよいことが理解されるだろう。図示された実施例では、システム３００は、約＋１３ｄＢｍの最大閾電力レベルを有する。この例では最大閾電力レベルは＋１３ｄＢｍであるが、本願明細書の範囲から逸脱することなく他の如何なる適切な最大及び最小閾電力レベルが用いられてもよい。
【００５３】
この例では、システム３００は、システム３００を通じて１又は複数の光信号の伝達を実現する標準単一モード光ファイバを有する通信範囲を有する。システム２００の通信範囲は、光信号３０２をブースタを有さない終端端末から変化する電力レベルで受信する。この実施例では、ブースタを有さない終端端末は、光信号３０２をシステム３００の約最大閾電力レベルまで、光信号３０２が通信範囲へ導入される前に増幅する増幅器を実質的に有さない。この特定の実施例では、通信範囲により受信される光信号３０２の電力レベルは、−１２ｄＢｍから２ｄＢｍの間で変化する。この例では光信号３０２の電力レベルは、−１２ｄＢｍから２ｄＢｍの間で変化するが、本願明細書の範囲から逸脱することなく他の如何なる適切な範囲が用いられてもよい。
【００５４】
ある特定の実施例では、システム３００は、システム３００の通信範囲へ導入するために１又は複数のポンプ信号を生成するポンプ・ソースも有する。幾つかの場合には、ポンプ・ソース及びポンプ信号の構造及び機能は、それぞれ図１のポンプ・ソース３０ａ及びポンプ信号３２ａと実質的に同様である。この特定の実施例では、ポンプ・ソースは、光信号３０２がシステム３００の通信範囲の一部を伝搬するときに、光信号３０２と共に伝搬するポンプ信号を導入する。この例では、ポンプ信号は光信号３０２と共に伝搬するが、ポンプ信号の少なくとも一部は、本願明細書の範囲から逸脱することなく光信号３０２と反対に伝搬してよい。この特定の実施例では、ポンプ信号は、光信号３０２が通信範囲を伝搬するときに、光信号３０２をシステム３００の最大閾電力レベルまで増幅する。種々の実施例では、ポンプ・ソースは、例えば０．５ワット、１ワット、２．５ワット、又は他の如何なる適切な電力レベルの総パワーを有するポンプ信号を生成してよい。
【００５５】
この例では、線３０２は、システム３００の通信範囲を伝搬した後の光信号の性能を表す。横軸は、システム３００の通信範囲により受信される光信号の電力レベルを表す。縦軸は、光信号３０２の性能を表す。
【００５６】
このグラフは、システム３００の通信範囲により受信された光信号の望ましい又は最適な範囲の電力レベル３０４を示す。用語「望ましい範囲の電力レベル」又は「最適な範囲の電力レベル」は、システム３００の満足のいくＱ因子を維持及び／又は達成する１又は複数の電力レベルを示す。この特定の実施例では、システム３００は−１０ｄＢｍ乃至−６ｄＢｍの望ましい又は最適な範囲の電力レベルを有する。つまり、光信号３０２がシステム３００の通信範囲に−１０ｄＢｍ乃至−６ｄＢｍの間の電力レベルで導入される場合、システム３００のＱ因子は許容可能な範囲内に維持される。この例ではシステム３００の通信範囲により受信される光信号の最適な範囲の電力レベルは−１０ｄＢｍ乃至−６ｄＢｍの範囲であるが、本願明細書の範囲から逸脱することなく他の如何なる適切な最小閾電力レベルが用いられてもよい。最適な又は望ましい範囲の電力レベルの選択は、少なくとも部分的にチャンネル及び光信号３０２と関連付けられた波長の数、光信号３０２と関連付けられた波長と波長の間の間隔、光信号３０２のビット・レート、通信範囲の光ファイバの非線形係数、光ファイバの有効範囲、及び色度分散に基づく。
【００５７】
図４は、無中継光通信システムの通信範囲内で、光信号を約最小閾電力レベルから約最大閾電力レベルへ増幅する方法４００の一例を示すフローチャートを示す。ある特定の実施例では、光信号は図１の無中継システム１０内で増幅されてよい。種々の実施例では、システム１０は、それぞれ光の中心波長を有する複数の光信号波長１５を生成する１又は複数の送信機１２ａ−１２ｎを有してよい。幾つかの実施例では、送信機１２は、信号１５のＱ因子及びシステム１０のビット誤り率を向上する前方誤り訂正（ＦＥＣ）モジュールを有してよい。他の実施例では、システム１０は、通信範囲２０全域での通信のため、複数の光信号は長１５のそれぞれを複数波長信号１６に結合する結合器１４を有してもよい。
【００５８】
この例では、方法４００は、段階４１０で開始し、複数の光信号波長１５を有する光信号１６を通信範囲２０の第１の端で受信する。この例では、ブースタを有さない終端端末１１は、複数波長光信号１６を範囲２０へ、約最小閾電力レベルで導入する。信号１６の最小閾電力レベルは、例えば、約−１２ｄＢｍ以上、−１０ｄＢｍ以上、−６ｄＢｍ以上、又は他の如何なる適切な値を有してよい。
【００５９】
ブースタを有さない終端端末１１は、範囲２０に導入するために、第１のポンプ信号３２ａを生成するポンプ・ソース３０ａを有してもよい。ポンプ信号３２ａは１又は複数のポンプ波長を有し、１又は複数のポンプ波長のそれぞれは光の中心波長を有する。幾つかの実施例では、ポンプ信号３２ａの１又は複数のポンプ波長のそれぞれは、ポンプ信号３２ａの他のポンプ波長の中心波長と実質的に異なる中心波長を有してよい。
【００６０】
この例では、ポンプ・ソース３０ａは少なくとも１つのポンプ信号３２ａを有し、段階４２０でポンプ信号３２ａを通信範囲２０に導入する。この特定の例では、ポンプ信号３２ａは、範囲２０を通じて信号１６と共に伝搬する。殆どの場合、ポンプ信号３２ａは、例えば２分の１ワット以上、１ワット以上、２ワット以上、２と２分の１ワット以上、を有してよい。
【００６１】
この例では、段階４３０で、システム１０は、信号１６を範囲２０内の約最小閾電力レベルから約最大閾電力レベルへ増幅する。この例では、ポンプ信号３２ａは範囲２０に渡り信号１６と共に伝搬し、通信範囲２０内で光信号１６を増幅する。この例では、ポンプ信号３２ａは光信号１６と共に伝搬するが、ポンプ信号３２ａの少なくとも一部は、本願明細書の範囲から逸脱することなく光信号１６と反対に伝搬してよい。
【００６２】
種々の実施例では、信号１６が範囲２０を通じて伝達する間に、信号１６を通信範囲２０へ約最小閾電力レベルで導入し及び信号１６を最大閾電力レベルまで増幅することは、システム１０の到達距離を増大しうる。つまり、システム１０の到達距離及び／又は複数波長信号１６が範囲２０を通じて伝達できる距離は、信号１６を範囲２０に約最小閾電力レベルで導入し、ポンプ信号３２ａを用いて信号１６を範囲２０内の最大閾電力レベルまで増幅することにより増大されうる。例えば、信号１６が最大閾電力レベルに達する点は、端末１１から約３０ｋｍ以上、端末１１から４０ｋｍ以上、又は端末１１から５０ｋｍ以上であってよい。幾つかの場合には、これは、例えば約３０ｋｍ以上、４０ｋｍ以上、又は５０ｋｍ以上、システム１０の到達距離を延長しうる。
【００６３】
他の実施例では、信号１６を範囲２０に約最小閾電力レベルで導入することは、信号１６の光信号波長１５の電力レベルを、通信範囲に導入される前に約最大閾電力レベルまで増幅される光信号と比べて高い電力レベルに維持しうる。殆どの場合、ポンプ信号３２ａが信号１６と効果的に相互作用する範囲２０の長さを増大することは、ポンプ信号３２ａの電力レベルを比較的高いレベルに維持する。ポンプ信号３２ａの電力レベルを比較的高い電力レベルに維持することは、信号１６の光信号波長１５の電力レベルを、通信範囲２０の少なくとも一部に渡り比較的高い電力レベルに維持しうる。
【００６４】
本発明はいくつかの実施例とともに説明されたが、無数の変化、変形、変更、変換及び修正が当業者に提案され得る。また本発明はこのような変化、変形、変更、変換及び修正を特許請求の範囲及び適用範囲に属するとして包含する。
【図面の簡単な説明】
【００６５】
【図１】１又は複数の波長の信号の通信を実現する無中継光通信システムの少なくとも一部を示すブロック図である。
【図２】ブースタ増幅器を有する一方の端末から伝達された第１の光信号と、ブースタ増幅器を有さない他方の端末から伝達された第２の光信号を比較するグラフである。
【図３】光信号の送信電力が変化する場合に、光通信システムの通信範囲を伝達した後の光信号の光学性能を説明するグラフである。
【図４】無中継光通信システムの通信範囲内で、光信号を約最小閾電力レベルから約最大閾電力レベルへ増幅する方法の一例を示すフローチャートを示す。
【図１】
2009530969.tif 000002
【図２】
2009530969.tif 000003
【図３】
2009530969.tif 000004
【図４】
2009530969.tif 000005
【国際調査報告】
2009530969.tif 000006